(57)【要約】【課題】  尿やうんち等の排泄物を始末する際に、おむつを簡単に丸めて廃棄することができる使い捨ておむつを提供すること。【解決手段】  外包材１１と、外包材１１の内側に吸収体本体１０を具備し、ウエスト開口部５と一対のレッグ開口部６とを有する使い捨ておむつ１であって、外包材１１の外側に止着テープファスナー２０を斜めに配した使い捨ておむつ１である。止着テープファスナー２０は、好ましくは吸収体本体１０に重なる区域において、吸収体本体１０の長手方向の端部上に配されている。【選択図】    図１
2006238989.tif 000002
【特許請求の範囲】
【請求項１】
外包材と、外包材の内側に吸収体本体とを具備し、ウエスト開口部と一対のレッグ開口部とを有する使い捨ておむつであって、
外包材の最外表面に止着テープファスナーを吸収体本体の長手方向に対して斜めに配した使い捨ておむつ。
【請求項２】
前記止着テープファスナーは、前記吸収体本体に重なる区域に配した請求項１記載の使い捨ておむつ。
【請求項３】
前記止着テープファスナーは、前記吸収体本体の長手方向の端部上に配した請求項１又は２記載の使い捨ておむつ。
【請求項４】
前記止着テープファスナーは、その長手方向に伸展する方向が離れるように複数の止着テープファスナーを配した請求項１〜３記載の使い捨ておむつ。
【請求項５】
前記止着テープファスナーは、その長手方向に伸展する方向が近づくように複数の止着テープファスナーを配した請求項１〜３記載の使い捨ておむつ。
【請求項６】
前記使い捨ておむつは、腹側部と背側部を有し、背側部に前記止着テープファスナーを配した請求項１〜５記載の使い捨ておむつ。
【発明の詳細な説明】
【技術分野】
【０００１】
本発明は、使い捨ておむつ、特に幼児用のパンツ型使い捨ておむつに関する。
【背景技術】
【０００２】
パンツ型使い捨ておむつにおいて、廃棄時に、排泄物を丸めて処理することができる止着用のテープファスナーを設けたものが知られている。例えば、おむつの胴回り部側縁におむつ幅方向へ伸展可能なテープファスナーを左右各２個づつの止着テープを設けたパンツ型使い捨ておむつが提案されている（特許文献１参照）。
【０００３】
またウエスト開口部中央に縦方向にテープファスナーを１個設けることで、使用済みのおむつを丸めた状態で始末できるようにしたパンツ型使い捨ておむつも知られている（特許文献２参照）。
【発明の開示】
【発明が解決しようとする課題】
【０００４】
しかし、従来のパンツ型使い捨ておむつによれば、特許文献１の使い捨ておむつは、廃棄時の丸める際に、一度縦方向に丸めたおむつを、向きを変えて横方向に丸めた状態でテープファスナーにより止着させる必要があり、不便である。このようなおむつは、より簡単に始末できるよう一層止着方法を改善するよう求められている。また、身体にフィットさせるための左右テープファスナーを必要としない幼児にとっては、使用しない無駄な止着テープを必要とするものである。特許文献２の使い捨ておむつは、より小さく確実に丸めた状態とさせるように求められている。
【特許文献１】実開平５−３９５３１号公報
【特許文献２】特開平１１−５６９０４号公報
【０００５】
従って本発明の目的は、おむつを簡単に丸めて廃棄することができる使い捨ておむつを提供することにある。
【課題を解決するための手段】
【０００６】
本発明は、外包材と、外包材の内側に吸収体本体とを具備し、ウエスト開口部と一対のレッグ開口部とを有する使い捨ておむつであって、外包材の最外表面に止着テープファスナーを吸収体本体の長手方向に対して斜めに配した使い捨ておむつを提供することにより前記目的を達成したものである。
【発明の効果】
【０００７】
本発明の使い捨ておむつは、尿やうんち等の排泄物を始末する際に、おむつを簡単に丸めてより小さく丸めて廃棄することができる。また、排泄物を外に漏らさないように丸めることができる。更には、臭いを外に出し難くさせることができる。
【発明を実施するための最良の形態】
【０００８】
以下本発明を、その好ましい実施形態に基づき図面を参照しながら説明する。図１には、本発明のパンツ型使い捨ておむつの一実施形態の斜視図が示されている。図２には、図１に示すおむつを組み立てる前の状態の分解斜視図が示されている。図３には、図２におけるおむつの展開状態の平面図が示されている。
【０００９】
本実施形態のおむつ１は、液透過性の表面シート２、撥水性の裏面シート３及び両シート２、３間に介在配置された液保持性の吸収性コア４を有する実質的に縦長の吸収体本体１０と、吸収体本体１０の裏面シート３側に配された外包材１１とを備えている。
【００１０】
外包材１１は、その両側縁が、長手方向中央部において内方に括れた砂時計形の形状をしており、おむつの輪郭を画成している。外包材１１はその長手方向において、着用者の腹側に配される腹側部Ａと背側に配される背側部Ｂとその間に位置する股下部Ｃとに区分される。腹側部Ａ及び背側部Ｂは、外包材１１の長手方向前後端部に相当し、股下部Ｃは外包材１１の長手方向中央部に相当する。外包材１１は、その腹側部Ａの両側縁と背側部Ｂの両側縁とが互いに接合されて、おむつ１にはウエスト開口部５及び一対のレッグ開口部６が形成される。この接合によって、おむつ１の左右両側縁には一対のサイドシール部Ｓが形成される。この接合には、例えばヒートシール、高周波シール、超音波シール等が用いられる。
【００１１】
表面シート２、裏面シート３及び吸収性コア４はそれぞれ矩形状であり、一体化されて縦長の吸収体本体１０を形成している。表面シート２及び裏面シート３としては、従来この種のおむつに用いられているものと同様のものを用いることができる。また吸収性コア４は、高吸収性ポリマーの粒子及び繊維材料から構成されており、ティッシュペーパ（図示せず）によって被覆されている。
【００１２】
図２に示すように、吸収体本体１０の長手方向の左右両側には、液抵抗性ないし撥水性で且つ通気性の素材から構成された側方カフス８、８が形成されている。各側方カフス８は、吸収体本体１０の長手方向に沿って固定端部及び自由端部を有している。固定端部は、表面シート２に固定されている。更に、固定端部及び自由端部は、吸収体本体１０の長手方向両端部において表面シート２に固定されている。一方、自由端部の近傍には、側方カフス弾性部材８１が伸張状態で配されている。これにより、図１のように組み立てられたおむつ１を着用させる際には、弾性部材８１が縮むことにより側方カフス８が起立して、吸収体本体１０の幅方向への液の流出が阻止される。
【００１３】
外包材１１は、少なくとも二枚の不織布、即ち外層不織布１２と該外層不織布１２の内面側に配された内層不織布１３とを有している。外層不織布１２はおむつ１の外面をなし、内層不織布１３は外層不織布１２の内面側に、ホットメルト粘着剤等の接着剤によって接合されている。外層不織布１２と内層不織布１３は液の染み出し性を考慮すると共に撥水性であることが好ましい。
【００１４】
外包材１１における吸収体本体１０の前後端部には、前後端縁に沿って、複数のウエスト部弾性部材５１、５１がその幅方向に亘り配されている。各ウエスト部弾性部材５１、５１は、外層不織布１２と内層不織布１３とによって伸張状態で挟持固定されている。各ウエスト部弾性部材５１、５１は、おむつ１の腹側部Ａの両側縁と背側部Ｂの両側縁とを互いに接合（接合部分）させたときに、両弾性部材５１、５１の端部同士が重なるように配されているか、両接合部分まで両弾性部材５１、５１の端部が連続配置されている。これによって、図１に示すように、おむつ１のウエスト開口部５の付近には実質的に連続したリング状のウエストギャザーが形成される。
【００１５】
外包材１１は、吸収体本体１０の前後端縁から外方に延出しており、延出した部分が吸収体本体１０側に折り返されている。折り返された外包材１１は、吸収体本体１０の前後端部上（即ち吸収体本体１０の前後端部における表面シート２上）を被覆している。なお、この構成に代えて、外包材１１における外層不織布１２のみを、外層不織布１２と内層不織布１３とによって各ウエスト部弾性部材５１，５１を挟持固定する部位よりも更に延出させ、延出した外層不織布１２を吸収体本体１０側に折り返させることもできる。
【００１６】
外包材１１における左右両側の湾曲部には、レッグ部弾性部材６１が配されている。各レッグ部弾性部材６１は、前記湾曲部に沿って配されている。各レッグ部弾性部材６１は、外層不織布１２と内層不織布１３との間に配されており、所定の接合手段によって、両不織布１２、１３に伸張状態で固定されている。各レッグ部弾性部材６１は、その一端どうしが股下部Ｃにおいて重なり合っている。一方、他端は腹側部Ａ及び背側部Ｂの各側縁の位置において終端している。各レッグ部弾性部材６１は、おむつ１の腹側部Ａの両側縁と背側部Ｂの両側縁とを互いに接合させたときに、両弾性部材６１の端部同士が重なるように配されているか、両接合部分まで両弾性部材６１の端部が連続配置されている。これによって、図１に示すように、おむつ１のレッグ開口部６、６の付近には実質的に連続したリング状のレッグギャザーが形成される。
【００１７】
おむつ１においては、おむつ１の腹側部Ａ及び背側部Ｂそれぞれにおけるウエスト開口部５とレッグ開口部６との間に、おむつ１の幅方向に延びる胴回り部用弾性部材７１ａ、７２ａ、７１ｂ、７２ｂが多数配されている。
また、腹側部Ａには、排尿部近傍に位置する部分に、おむつ１の幅方向に延びる股下部の上部用の弾性部材７３ａが複数配されている。
【００１８】
胴回り部用弾性部材７１ａ、７２ａ、７１ｂ、７２ｂは、外層不織布１２と内層不織布１３とによって伸張状態で挟持固定されている。胴回り部用弾性部材７１ａ、７２ａ、７１ｂ、７２ｂは、おむつ１の腹側部Ａの両側縁と背側部Ｂの両側縁とを互いに接合させたときに、腹側部Ａの胴回り部用弾性部材と背側部Ｂの胴回り部用弾性部材との端部同士が重なるように配されているか、両接合部分まで各弾性部材の端部が配置されている。これによって、図１に示すように、おむつ１の腹側部Ａ（図示せず）及び背側部における胴回り部弾性部材にはギャザーがそれぞれ形成される。
【００１９】
胴回り部弾性部材７１ａ、７２ａ、７１ｂ、７２ｂ及び、股下部の上部用の弾性部材７３ａは何れも、おむつ１の左右両側縁（即ち外包材１１の左右両側縁）と吸収性コア４の左右両側縁との間に亘って延在している。そして、吸収性コア４が存在している部位には、胴回り部弾性部材は何れも実質的に存在していない。その結果、胴回り部弾性部材に形成されるギャザーは、おむつ１の左右両側縁と吸収性コア４の左右両側縁との間に位置しており、吸収性コア４が存在する位置にはギャザーが実質的に形成されていない。これにより、装着状態においても吸収性コア４が存在している部位は、胴回り部弾性部材７１ａ、７２ａ、７１ｂ、７２ｂの収縮により外包材１１が縮むことがなく、おむつ１は外観的にも、また吸収性能的にも良好なものとなる。
【００２０】
本実施形態のおむつ１における各弾性部材としてはそれぞれ、天然ゴム、ポリウレタン系樹脂、発泡ウレタン系樹脂、伸縮性不織布又はホットメルト系伸縮部材等の伸縮性素材を糸状（糸ゴム）、帯状（平ゴム）、ネット状（網状）又はフィルム状に形成したものが好ましく用いられる。
【００２１】
本実施形態のおむつ１における廃棄用止着テープファスナー２０は、図１に示すように、前記外包材１１の最表面に固着されている。この廃棄用止着テープファスナー２０は、おむつ１の背側部Ｂの吸収体本体１０が配されている区域（中央区域）であり、且つ、吸収体本体の長手方向に対して斜めの方向に、逆ハの字になるように２つ配されている。つまり、おむつ１のウエスト開口部５を上向きにおむつ１を見る場合に、止着テープファスナー２０の伸展させる方向が、おむつ幅方向外側に向かい、互いが離れるようにそれぞれが配されている。
【００２２】
本実施形態のおむつ１における止着テープファスナー２０は、吸収体本体１０と重なる区域に配することが好ましい。周囲の部位より剛性のある吸収体本体１０に圧し付けるように接着できるので、外包材１１へファスナー２０を固着させ易い。更に、この区域には、前記弾性部材７１ｂ、７２ｂが配されていないので外包材表面が縮み難く、固着後も止着テープファスナー２０へのしわがより難い。その結果、止着テープファスナー２０を摘み易くさせることができ、止着テープファスナー２０を伸展させることがより簡単にできる。
【００２３】
本実施形態の廃棄用止着テープファスナー２０は、図４に拡大図として示すように、テープ基材に粘着剤を塗布して形成されてなるものであり、その長さ方向に略３等分にする２つの折曲部２７において、３つに折り畳まれて、基部２１及びおむつの廃棄時におむつ１を丸めた状態で固定可能とさせる固定部２２が形成されている。この固定部２２は、基部２１に連接され且つ剥離自在に粘着されており、止着テープファスナー２０の長手方向に伸展可能な中間部２６、及び、おむつ１の廃棄処理時におむつに止着させる接着部分２４により形成されている。また、この中間部２６は、基部に連接しており折曲部２７で折り返されており、基部２１へ面した弱い粘着面２５を有することにより、基部２１と剥離自在に粘着されている。さらに、前記接着部分２４は、中間部２６に連接しており別の折曲部２７で折り返されて、中間部２６へ面した強い粘着面２３を有することにより、おむつ１の外包材１１に接着固定されるようになっている。
【００２４】
前記止着テープファスナー２０の基材、弱い粘着面２５や強い粘着面２３に用いる粘着剤は、一般的な素材を用いることができる。また、前記中間部２６を塑性変形させることでさらに伸びる素材を用いることもでき、丸めたおむつ１をよりぐるぐる巻きにすることができる。
【００２５】
前記止着テープファスナー２０は、長手方向に伸展させた状態で、前記固定部２２の一部がおむつ１の輪郭の外まで伸ばすことが出来るように、ファスナー２０の基部２１の固着位置やファスナー長さを決めることが好ましい。少なくとも前記接着部分２４がおむつ１の輪郭より外まで伸ばせることがより好ましい。
【００２６】
図５は、本発明のパンツ型使い捨ておむつ１を廃棄する状態を示す概略図である。本実施形態の使い捨ておむつ１は、使用後に廃棄する際に、サイドシール部Ｓの接合を解除し、腹側部Ａの端部で排泄物を包むようにおむつ１を丸める。そして、腹側部Ａの端部を中心となるように背側部Ｂの端部まで使って丸める。この状態において、図５（ａ）に示すように、背側部Ｂの端部に斜めに配してあった前記止着テープファスナー２０を引張りながら伸展させて、腹側部Ａの外包材へ接着固定させて、丸めた状態を維持させることができる。この操作により、おむつ１の部材のなかでも比較的剛性のある吸収体本体１０の長手方向の端部を幅広く押さえることができるので、排泄物を漏らし難くさせることができる。
【００２７】
更に、図５（ｂ）に示すように、丸めた状態から更に背側部Ｂの幅方向の左右端部を重なるように被せた状態とさせて、止着テープファスナー２０を斜めに伸展させることで、巻き上げるように接着固定させることができる。これにより、図５（ａ）のように丸めた状態よりも、おむつ１からの排泄物が漏れ出しをより効果的に防止させることができる。また、より小さく丸めることができ、臭いも漏らし難くさせることができる。
【００２８】
以上、本発明をその好ましい実施形態に基づき説明したが、本発明は前記実施形態に制限されるものではない。例えば前記実施形態のおむつ１の止着テープファスナーは、図６に示すように、その伸展方向が近づくように複数の止着テープファスナーを配することもできる。この場合は、止着テープファスナーの配置させる距離によっては、おむつ１を丸めた状態で接着固着させる際に、止着テープファスナーが交差するように接着固着させることができる。また、止着テープファスナーを３個以上配することにより、伸展方向が近づくファスナーと遠ざかるファスナーを混在させることもできる。
【００２９】
更に、本実施形態のおむつ１においては、胴回り部弾性部材がおむつ１の左右両側縁と吸収性コア４の左右両側縁との間のみに配されているが、この構成に限定されることはなく、吸収性コア４の左右両側縁のみ各胴回り部弾性部材の一部を重ねることもできるし、おむつの幅方向全長に亘って配置させることもできる。この場合には、吸収性コア４と重なる部分の外包材１１には第１又は第２弾性部材により収縮させる力が働くことになる。しかしそのような場合においても、吸収性コア４が配されている領域に位置する外包材１１を、粘着剤により吸収性コア４に貼り付けることで、コア４の剛性を利用して弾性部材の収縮を抑制し、コア４が配された部分における外包材１１に皺が発生することを防止することができる。また、外層及び内層不織布１２，１３に挟持固定されている第１弾性部材７１ａ又は第２弾性部材７２ａを、吸収性コア４が配されて部分だけは、不織布１２，１３に殆ど固定させないことによっても、コア４が配された部分における外包材１１に皺が発生することを防止することもできる。
【００３０】
更に、本実施形態においては腹側部Ａの両側縁と背側部Ｂの両側縁とを互いに接合してサイドシール部を形成したが、これに代えて、ホック、ボタン、面ファスナーなどの各種係合部材で予め係合させて、パンツ型の形状となしてもよい。また腹側部Ａの両側縁と背側部Ｂの両側縁との接合又は係合位置は、身体の真横の位置に限られず、身体のやや前寄り又は後寄りの位置であってもよい。
特に、サイドシール部が面ファスナーの場合には、外包材が係合可能なスパンボンド方式やメルトブロー方式製等の不織布に係合させることができるので止着テープファスナーとの両方の止着により、より小さく丸めることが可能である。
【００３１】
更に、本実施形態においては外包材１１を外層及び内層不織布１２，１３から構成したが、外包材の材料はこれに限られず、例えば不織布と撥水性シートとの積層シートであってもよい。
【００３２】
更に、本実施形態においては、おむつの輪郭を画成する外包材１１と、その上に載置される吸収体本体１０とからおむつ１が構成されていたが、これに代えて、表面シート及び裏面シートによっておむつの輪郭を画成させ、両シート間に吸収性コアを介在配置してもよい。この場合には、裏面シートに止着テープファスナーを固着させることになる。また、おむつの腹側部及び背側部における吸収性コアの左右両側部から外方へ延出する部位を、弾性パネル材から構成してもよい。
【図面の簡単な説明】
【００３３】
【図１】本発明のパンツ型使い捨ておむつの一実施形態を示す斜視図である。
【図２】図１に示すおむつを組み立てる前の状態を示す分解斜視図である。
【図３】図２におけるおむつの展開状態の平面図である。
【図４】止着テープファスナーを示す拡大図である。
【図５】本発明のパンツ型使い捨ておむつを廃棄する状態を示す概略図である。
【図６】本発明のパンツ型使い捨ておむつの他の実施形態を示す斜視図である。
【符号の説明】
【００３４】
１  パンツ型使い捨ておむつ
２  表面シート
３  裏面シート
４  吸収性コア
５  ウエスト開口部
６  レッグ開口部
１０  吸収体本体
１１  外包材
２０  止着テープファスナー
【図１】
2006238989.tif 000003
【図２】
2006238989.tif 000004
【図３】
2006238989.tif 000005
【図４】
2006238989.tif 000006
【図５】
2006238989.tif 000007
【図６】
2006238989.tif 000008